(57)【要約】【課題】電子メール等の文字情報を送信前に容易に確認でき、正確な文字情報を送信することが可能な情報通信装置を提供する。【解決手段】文字情報を作成し、前記文字情報を送受信手段（送信手段）を介して送信する情報通信装置に関する。情報通信装置は、文字情報を入力するための操作手段４と、前記文字情報を表示するための表示手段６と、前記文字情報を読み上げるための音声手段７と、表示手段６による前記文字情報の表示処理と音声手段７による前記文字情報の読み上げ処理とを実行し、音声手段７による読み上げ処理中において、操作手段４による操作入力を無効とする制御手段５とを備える。【選択図】　図１
2004078710.tif 000002
【特許請求の範囲】
【請求項１】
文字情報を作成し、前記文字情報を送信手段を介して送信する情報通信装置であって、
前記文字情報を入力するための操作手段と、前記文字情報を表示するための表示手段と、前記文字情報を読み上げるための音声手段と、前記表示手段による前記文字情報の表示処理と前記音声手段による前記文字情報の読み上げ処理とを実行し、前記音声手段による読み上げ処理中において、前記操作手段による入力を無効とする制御手段と、を備えてなることを特徴とする情報通信装置。
【請求項２】
前記制御手段は、前記文字情報の読み上げ処理終了後に次ステップの処理を受け付け可能とするべく、前記表示手段に操作項目を表示させてなることを特徴とする請求項１に記載の情報通信装置。
【請求項３】
前記制御手段は、文字、数字、記号、顔文字等の選択肢を記憶する記憶手段を備え、前記選択肢の組み合わせによって前記文字情報を得てなることを特徴とする請求項１もしくは請求項２に記載の情報通信装置。
【請求項４】
前記制御手段は、前記読み上げ処理において、前記選択肢である第１の選択肢が選択された際に前記第１の選択肢を前記音声手段によって音声出力させ、前記選択肢である次なる第２の選択肢が選択された際に、前記音声手段によって前記第１の選択肢と前記第２の選択肢とを合成して得られる文字情報を前記音声手段によって音声出力させることを特徴とする請求項３に記載の情報通信装置。
【発明の詳細な説明】
【０００１】
【発明の属する技術分野】
本発明は、電子メール、メッセージ等の文字情報を作成し、この文字情報を送信可能な情報通信装置に関し、特に音声手段を備えた情報通信装置に関するものである。
【０００２】
【従来の技術】
情報通信装置としては、例えば、自車両の現在位置を把握し、目的地へのルートを案内するナビゲーション装置が知られている。このような情報通信装置としては、人工衛星位置決定システム（Ｇｌｏｂａｌ　Ｐｏｓｉｔｉｏｎｉｎｇ　Ｓｙｓｔｅｍ（ＧＰＳ））によって自車両の位置を把握するとともに、道路交通情報システム（Ｖｅｈｉｃｌｅ　Ｉｎｆｏｒｍａｔｉｏｎ　ａｎｄ　Ｃｏｍｍｕｎｉｃａｔｉｏｎ　Ｓｙｓｔｅｍ（ＶＩＣＳ））からの情報に基づいて自車両が走行するための走行ルート情報を車両の運転者に知らせるものがある。
【０００３】
また、これらの様々な情報を表示する情報通信装置としては、自動車専用のものが主流であるが、最近では二輪車に取り付けたり、あるいは人が携帯できるものが開発されている。また、これらの情報通信装置は、携帯電話や簡易携帯電話（ＰＨＳ）等の携帯通信機器と接続し、電子メールの受信情報を表示器で表示させるものが提案され、これらについては、特開平１１−３３７３４８号公報や特開平１１−１０２１９８号公報等に開示されている。また、この情報通信装置は、電子メールの受信機能だけでなく、電子メールを作成し前記携帯通信機器を介して送信する機能も有している。
【０００４】
【発明が解決しようとする課題】
このような情報通信装置の殆どは、文字入力専用のキーボードを備えておらず、電子メール（文字情報）を作成する際に、操作ボタンによって画面に表示される文字表上をカーソル移動させて文字を一文字ずつ選択し、必要時にはカナ，数字，記号等に入力切換えする切換え作業や漢字への変換作業など、煩雑な操作が必要であるため、入力操作ミスによる誤字や脱字が存在する状態にて前記電子メールを送信してしまう場合が多く発生するという問題があった。また、このような誤字や脱字を含む電子メールの送信にあっては、操作者が送信後に気が付くことが多く、送信前の電子メールのチェック機能が注目されつつある。
【０００５】
そこで、本発明は前記問題点に着目し、電子メール等の文字情報を送信前に容易に確認でき、正確な文字情報を送信することが可能な情報通信装置を提供するものである。
【０００６】
【課題を解決するための手段】
本発明は、前記課題を解決するために、前記文字情報を作成し、前記文字情報を送信手段を介して送信する情報通信装置であって、文字情報を入力するための操作手段と、前記文字情報を表示するための表示手段と、前記文字情報を読み上げるための音声手段と、前記表示手段による前記文字情報の表示処理と前記音声手段による前記文字情報の読み上げ処理とを実行し、前記音声手段による読み上げ処理中において、前記操作手段による入力を無効とする制御手段と、を備えてなものである。
【０００７】
また、前記制御手段は、前記文字情報の読み上げ処理終了後に次ステップの処理を受け付け可能とするべく、前記表示手段に操作項目を表示させてなるものである。
【０００８】
また、前記制御手段は、文字、数字、記号、顔文字等の選択肢を記憶する記憶手段を備え、前記選択肢の組み合わせによって前記文字情報を得てなるものである。
【０００９】
また、前記制御手段は、前記読み上げ処理において、前記選択肢である第１の選択肢が選択された際に前記第１の選択肢を前記音声手段によって音声出力させ、前記選択肢である次なる第２の選択肢が選択された際に、前記音声手段によって前記第１の選択肢と前記第２の選択肢とを合成して得られる文字情報を前記音声手段によって音声出力させるものである。
【００１０】
【発明の実施の形態】
【００１１】
以下、本発明の実施の形態を添付図面に基づき説明する。尚、以下に示す表示装置としては、ＶＩＣＳ情報や電子メール等の文字情報を表示することが可能な複合機能を有するナビゲーション装置を例に挙げて説明する。
【００１２】
図１から図３を用いてナビゲーション装置の全体構成について説明する。ナビゲーション装置Ａは、ＧＰＳ電波受信部１と、ＶＩＣＳ電波受信部２と、送受信手段３と、操作手段４と、制御手段５と、表示手段６と、音声手段７とから主に構成されている。
【００１３】
ＧＰＳ電波受信部１は、ＧＰＳ用受信アンテナを備え、前記受信アンテナで受信した人工衛星からの位置情報である送信電波を高周波信号として増幅して制御手段５に供給する。
【００１４】
ＶＩＣＳ電波受信部２は、ＶＩＣＳ用の受信アンテナ及び受光部を備え、前記受信アンテナで受信したＶＩＣＳセンターからの走行ルート情報である送信電波及び前記受光部で受信したＶＩＣＳセンターからの走行ルート情報である送信電波を増幅して制御手段５に供給する。
【００１５】
送受信手段３は、モデムを有し、前記モデムに携帯電話やＰＨＳ等の電気通信回線を介して交信する携帯通信機器（交信手段）が接続される。また送受信手段３は、メール処理部を有し、前記メール処理部によって受信したテキストデータやバイナリーデータ等からなる文字情報（文書データ）の復調処理（差出人のアドレスデータ，発信日時データ，タイトルデータ及び本文データ等の生成）を行って、復調した前記テキストデータを制御手段５に供給する。
【００１６】
操作手段４は、ルート検索やルート検索情報等の各種情報を表示手段６によって表示させたり、表示手段６による文字情報である文書の表示、あるいは音声出力手段７ｂにより前記文書の音声出力の実行の際に用いられる。また、操作手段４は、後述する所定操作を行うために複数の押しボタンスイッチを備えた操作部を有し、ワイヤレスリモコンや有線式操作スイッチ群によって構成される。
【００１７】
図２は、操作手段４の一例を示すものである。操作手段４は、文字情報であるメール文書（後で詳述する）の作成時において、後述するカテゴリや選択肢に指示位置となるカーソルを移動させるための左スイッチ４ａ，右スイッチ４ｂ，上スイッチ４ｃ，下スイッチ４ｄと、前記カーソルが指示するカテゴリや選択肢を決定する決定スイッチ４ｅとが備えられている。
【００１８】
制御手段５は、マイクロコンピュータから構成され、図３に示すようにＣＰＵ５ａ，ＲＡＭ５ｂ，ＲＯＭ（記憶手段）５ｃ，記憶部５ｄ及び入出力（Ｉ／Ｏ）インターフェイス回路５ｅを有し、前記各部はバス５ｆによって接続されている。制御手段５におけるＣＰＵ５ａは、ＧＰＳ電波受信部１によって受信した位置データを入出力インターフェイス５ｅを介して入力し、この位置データと、ＣＤ−ＲＯＭ，ＤＶＤ−ＲＯＭあるいはハードディスク等からなる記憶部５ｄに記憶されている地図データ、あるいはメインサーバから随時ダウンロードされる地図データとをＣＰＵ５ａによってマップマッチングして、表示手段６に表示する地図上に自車両の位置を表示させたり、また電子メールの作成，着信及び送信の際に表示手段６及び音声出力手段７を制御するものである。尚、ＲＯＭ５ｃは、前記電子メールの作成用プログラム、後述するカテゴリや選択肢、表示手段６によって表示される複数の表示画面等が記憶されている。
【００１９】
表示手段６は、地図データを表示させたり、あるいは前記文書データを表示させるためのグラフィックコントローラ等の駆動手段６ａと、マトリクス型の液晶表示素子や有機ＥＬ素子からなる表示部６ｂを有し、制御手段５からの指示信号の基に後述する表示画面を表示する。
【００２０】
音声手段７は、文字情報（文書）を音声データに変換する音声変換手段７ａと、スピーカからなる音声出力手段７ｂとからなり、音声出力手段７ｂは専用に用意しても良いし、カーオーディオ等のスピーカ等と兼用することもできる。
【００２１】
以上の各部によってナビゲーション装置Ａが構成される。
【００２２】
次に図４から図１０を用いて、ナビゲーション装置Ａの制御手段５の処理動作について説明する。
【００２３】
図４は、操作手段４からの所定入力に応じて目的地までルート検索された誘導経路１０が表示されるとともに、ＧＰＳ電波受信部１によって供給される位置情報に基づいて誘導経路１０上における自車両１１の位置を表示する一般的なナビゲーション装置Ａの表示手段６における表示部６ｂの表示形態を示すものである。
【００２４】
誘導経路１０を表示する画面１２の上部には、前述した携帯通信機器の受信状態と、ＧＰＳ電波の受信状態との情報を表示するインジケータ表示領域１３を有しており、制御手段５は、ＧＰＳ電波受信部１及びメール送受信部３からの電波受信情報に応じてインジケータ表示領域１３の表示内容を変更する。
【００２５】
図５は、文字情報であるメール文書の作成画面を示すもので、メール文書（電子メール）の作成目的毎に分類された様々なシチュエーションに応じたカテゴリ４０が複数のフォームに区分され、ボタン４１，４２，４３と連結するように表示される。尚、制御手段５は、表示部６ｂの画面において、操作手段４の所定入力に連動するカーソルによって指示されたボタンをネガ／ポジ反転させることで強調表示し、前記カーソルによる指示位置を容易に視認できるように制御する。そして、制御手段５は、フォーム２が操作手段４によって選択されると、図６に示すように、「待ち合わせ」、「交通情報」、「たのみ事」のカテゴリを選択可能なボタン５１，５２，５３として表示部６の画面上に表示させる。
【００２６】
次に、制御手段５は、前記カテゴリのうち、例えば「待ち合わせ」のボタン５１が選択されることによって、図７（ａ）に示すように、項目毎の選択肢が表示される画面に切換えて、最初に「日程」という項目に関連する「今日の」、「明日の」、「明後日の」と記されたボタン６１，６２，６３が選択肢として三者択一できるように表示部６ｂの画面上に表示させる。
【００２７】
制御手段５は、操作手段４の所定入力に応じて「今日の」なる選択肢が選択されたことを認識すると、図７（ｂ）に示すように「今日の」なる文章６４を表示部６ｂの画面上に表示するとともに、「今日の」なる文書６４を音声出力手段７ｂによって音声出力する。そして、制御手段５は、音声出力の終了後に次画面に進むためのＯＫボタン（操作項目）６５を表示部６ｂの画面上に表示する。
【００２８】
次に、制御手段５は、図７（ｂ）中のＯＫボタン６５が操作手段４により指定されると、図８（ａ）に示すように、次なる「時間」という項目に関連する「夕方」、「昼」、「夜」と記されたボタン７１，７２，７３が選択肢として三者択一できるように表示部６ｂの画面上に表示させる。そして、制御手段５は、操作手段４の所定入力に応じて「昼」なる選択肢が選択されたことを認識すると、図８（ｂ）に示すように「今日の」なる選択肢（第１の選択肢）と「昼」なる選択肢（第２の選択肢）とを合成して得られる「今日の昼」なる文章７４を表示部６ｂの画面上に表示するとともに、合成して得られた「今日の昼」なる文書７４を音声出力手段７ｂによって音声出力する。そして、制御手段５は、音声出力の終了後に次画面に進むためのＯＫボタン７５を表示部６ｂの画面上に表示する。
【００２９】
次に、制御手段５は、図８（ｂ）中のＯＫボタン７５が操作手段４により指定されると、図９（ａ）に示すように、次なる「どうする」という項目に関連する「遅れる」、「ダメになった」、「予定変更したい」と示されたボタン８１，８２，８３が選択肢として三者択一できるように表示部６ｂの画面上に表示させる。そして、制御手段５は、操作手段４の所定入力に応じて「遅れる」なる選択肢が選択されたことを認識すると、図９（ｂ）で示すように「今日の」なる選択肢と、「昼」なる選択肢と、「遅れる」なる選択肢とを合成して得られる「今日の昼遅れる」なる文書８４を表示部６ｂの画面上に表示するとともに、合成して得られた「今日の昼遅れる」なる文書７４を音声出力手段７ｂによって音声出力する。尚、制御手段５は、「ｍ（＿＿；）ｍ」なる顔文字を、「遅れる」なる選択肢に関連付けた状態にてＲＯＭ５ｃに記憶し、「遅れる」なる選択肢が選定された際に「ｍ（＿＿；）ｍ」なる顔文字を自動的に入力する。そして、制御手段５は、音声出力の終了後に次画面に進むためのＯＫボタン８５を表示部６ｂの画面上に表示する。
【００３０】
次に、制御手段５は、図９（ｂ）中のＯＫボタン８５が操作手段４により指定されると、図１０で示すように表示部６ｂによってメール送信画面を表示させる。そして、制御手段５は、操作手段４による所定入力に応じてメール送信画面の「する」のボタン９１が選択されることによって、図９（ｂ）で示す「今日の昼遅れるｍ（＿＿；）ｍ」の文書８４を送受信手段３を介して送信する。また、制御手段５は、メール送信画面の「しない」のボタン９２が操作手段４の所定入力に応じて選択されると、例えば作成した文書データ（例えば、文書８４）をキャンセルし、図４で示す表示部６ｂの通常表示画面に戻すものである。
【００３１】
尚、制御手段５は、各画面における文書６４，７４，８４の音声出力が終了するまでの間は、操作手段４の各スイッチ４ａ〜４ｅの入力を無効とし、また前記音声出力が終了するまでの間は、操作項目である各ＯＫボタン６５，７５，８５を表示させない。
【００３２】
また、各画面における文章６４，７４，８４の作成において、誤りが発生した場合の制御手段５による処理動作は、操作手段４による所定入力によって、一つ前の画面に戻し、その戻した画面にて正しい情報を前述した処理動作により得るものである。
【００３３】
かかるナビゲーション装置Ａは、文字情報を入力する操作手段４と、前記文字情報を表示するための表示手段６と、前記文字情報を読み上げるための音声手段７と、表示手段６による前記文字情報の表示処理と音声手段７による前記文字情報の読み上げ処理とを実行し、音声手段７による読み上げ処理中において、操作手段４による操作入力を無効とする制御手段５とを備えてなるもので、音声手段７による文書６４，７４，８４の読み上げ処理中に操作者による操作手段４の入力を受け付けず、文書６４，７４，８４の前記読み出し処理終了後、即ち操作者が文書６４，７４，８４を音声出力によって確認した後に操作手段４の入力を受け付け可能とすることから、作成した文書６４，７４，８４の内容を操作者が認識しやすくなるため、誤った内容の文字情報を送信してしまうといった不具合が抑制される。
【００３４】
また、制御手段５は、文書６４，７４，８４の読み上げ処理終了後に次ステップの処理を受け付け可能とするべく、表示手段６に操作項目（ＯＫボタン６５，７５，８５）を表示させるものであり、音声手段７による読み上げ処理中は操作手段４による入力を受け付けないことを操作者に容易に認識させることができる。
【００３５】
また、制御手段５は、文字、数字、記号、顔文字等の選択肢を記憶するＲＯＭ５ｃを備え、前記選択肢の組み合わせによって文字情報を得ることから、従来のように操作者が文書を一文字ずつ入力して作成するのではなく、操作手段４による少ない選択で素早くメール文書を作成できるため、使用者による使い勝手が良好な情報通信装置を得ることが可能となる。
【００３６】
また、制御手段５は、文書の読み上げ処理において、第１の選択肢「今日の」が選択された際に前記第１の選択肢である文書（「今日の」）６４を音声手段７によって音声出力させ、次なる第２の選択肢により「昼」が選択された際に、前記第１の選択肢と前記第２の選択肢とを合成して得られる文書（「今日の昼」）７４を音声手段７によって音声出力させ、次なる第３の選択肢「遅れる」が選択された際に、前記第１の選択肢と前記第２の選択肢と前記第３の選択肢とを合成して得られる文書（「今日の昼遅れる」）８４を音声手段７によって音声出力させるものであり、操作者は「今日の」→「今日の昼」→「今日の昼遅れる」といったように、操作者が作成した文書を文頭から繰り返し音声手段７によって音声出力させることから、作成文書を正確に確認することが可能となることから、誤った文書を送信するといった不具合を更に抑制することが可能となる。
【００３７】
尚、本発明の実施の形態では、各項目毎に選択肢を選定し文書を作成するようにしたが、請求項１に記載の本発明にあっては、操作手段４によって従来と同様に一文字ずつ文書を作成するものであっても良く、この場合の制御手段５における処理制御は、文書の完成後に操作手段４の所定入力によって前記文書の読み上げ処理を実行し、この読み上げ処理の終了後に前記文書を送信可能とする次画面に移行させるための図１０で示すようなＯＫボタン８５を表示することで、誤字，脱字が存在する文書を送信してしまうことを抑制することができる。
【００３８】
また、本発明の実施の形態では、ナビゲーション装置Ａを例に挙げて説明したが、携帯電話やＰＨＳ等の情報通信機器からなる情報通信装置にも有効であり、本発明の用途について前述した実施の形態に限定されるものではない。
【００３９】
また、本発明の実施の形態では、操作手段４及び表示手段６とを別々に構成するものであったが、本発明にあっては、例えば、表示部と操作部とが一体に設けられたタッチパネルにて構成するものであっても良い。
【００４０】
【発明の効果】
本発明は、電子メール、メッセージ等の文字情報を作成し、この文字情報を送信可能な情報通信装置に関し、正確な文字情報を送信することが可能な情報通信装置を得ることが可能となる。
【図面の簡単な説明】
【図１】本発明の実施の形態のナビゲーション装置を示すブロック図。
【図２】同上ナビゲーション装置の操作手段を示す図。
【図３】同上ナビゲーション装置の制御手段を示すブロック図。
【図４】同上ナビゲーション装置の表示手段の通常時の表示画面を示す図。
【図５】同上表示手段のメール作成フォームを示す図。
【図６】同上表示手段の他のメール作成フォームを示す図。
【図７】同上表示手段のメールの選択肢及び作成文書を示す図。
【図８】同上表示手段のメールの選択肢及び作成文書を示す図。
【図９】同上表示手段のメールの選択肢及び作成文書を示す図。
【図１０】同上表示手段の送信画面を示す図。
【符号の説明】
Ａ　　ナビゲーション装置（情報通信装置）
３　　メール送受信部（送信手段）
４　　操作手段
５　　制御手段
６　　表示手段
７　　音声手段
６４，７４，８４　文書（文字情報）
６５，７５，８５　ＯＫボタン（操作項目）
【図１】
2004078710.tif 000003
【図２】
2004078710.tif 000004
【図３】
2004078710.tif 000005
【図４】
2004078710.tif 000006
【図５】
2004078710.tif 000007
【図６】
2004078710.tif 000008
【図７】
2004078710.tif 000009
【図８】
2004078710.tif 000010
【図９】
2004078710.tif 000011
【図１０】
2004078710.tif 000012